(57)【要約】入力された予約データを装置に内蔵されたメモリに記録するとともに、このメモリに記録された予約データのうち、記録媒体への記録が要求された予約データを、メモリから読み出し記録媒体に転送して記録させる。メモリに記録された予約データを見ることにより、通常の記録予約における予約データと、記録媒体を特定した記録予約における予約データとを一元管理することができる。
2002030114.tif 000002
【特許請求の範囲】
【請求項１】
入力された予約データに基づいて放送番組を記録媒体に記録する記録予約機能を備え、入力された予約データを前記記録媒体に記録することにより、その記録媒体をそこに記録された予約データに基づく記録予約専用とする記録再生装置において、
入力された予約データを、装置に装着された前記記録媒体と、装置に内蔵されたメモリとにそれぞれ記録することを特徴とする記録予約機能を備えた記録再生装置。
【請求項２】
入力された予約データに基づいて放送番組を記録媒体に記録する記録予約機能を備え、入力された予約データを前記記録媒体に記録することにより、その記録媒体をそこに記録された予約データに基づく記録予約専用とする記録再生装置において、
入力された予約データを装置に内蔵されたメモリに記録する予約データ記録手段と、
この予約データ記録手段によって前記メモリに記録された予約データのうち、前記記録媒体への記録が要求された予約データを、前記メモリから読み出し前記記録媒体に転送して記録させる予約データ記録制御手段とを具備し、
前記予約データ記録制御手段によって前記メモリから読み出され前記記録媒体に転送された予約データを、前記メモリに保存させたままにしておくようにしたことを特徴とする記録予約機能を備えた記録再生装置。
【請求項３】
前記予約データ記録制御手段は、前記予約データ記録手段により前記メモリに記録された予約データに対して、前記記録媒体への記録が要求された予約データと、前記記録媒体への記録が要求されない予約データとを識別するための識別子を付加することを特徴とする請求項２記載の記録予約機能を備えた記録再生装置。
【請求項４】
前記予約データ記録手段によって前記メモリに記録された予約データを、前記予約データ記録制御手段によって付加された前記識別子に基づいて、前記記録媒体への記録が要求された予約データと、前記記録媒体への記録が要求されない予約データとを区別して一覧表示する表示手段を具備してなることを特徴とする請求項３記載の記録予約機能を備えた記録再生装置。
【請求項５】
前記表示手段は、前記記録媒体への記録が要求された予約データを表示する際に、その予約データが記録されている前記記録媒体が装着されていない状態では、該予約データを編集不可能な状態で表示することを特徴とする請求項４記載の記録予約機能を備えた記録再生装置。
【請求項６】
装置に内蔵され、前記記録媒体よりも大容量の記録媒体に記録再生する記録再生手段を備え、
前記メモリに記録された予約データのうち、前記記録媒体への記録が要求された予約データと、装置に装着されている前記記録媒体に記録された予約データとが合致しない状態では、前記メモリに記録された予約データに基づいて、前記大容量記録媒体に放送番組を記録することを特徴とする請求項２記載の記録予約機能を備えた記録再生装置。
【請求項７】
前記大容量記録媒体に記録されたデータを、装置に装着されている前記記録媒体に転送して記録させる手段を具備してなることを特徴とする請求項６記載の記録予約機能を備えた記録再生装置。
【請求項８】
前記記録媒体は、書き替え可能なディスクであり、前記大容量記録媒体は、ハードディスクであることを特徴とする請求項６記載の記録予約機能を備えた記録再生装置。
【請求項９】
入力された予約データに基づいて放送番組を記録媒体に記録する記録予約機能を備え、入力された予約データを前記記録媒体に記録することにより、その記録媒体をそこに記録された予約データに基づく記録予約専用とする記録再生方法において、
入力された予約データを、装置に装着された前記記録媒体と、装置に内蔵されたメモリとにそれぞれ記録することを特徴とする記録再生方法。
【請求項１０】
入力された予約データに基づいて放送番組を記録媒体に記録する記録予約機能を備え、入力された予約データを前記記録媒体に記録することにより、その記録媒体をそこに記録された予約データに基づく記録予約専用とする記録再生方法において、
入力された予約データを装置に内蔵されたメモリに記録する予約データ記録工程と、
この予約データ記録工程によって前記メモリに記録された予約データのうち、前記記録媒体への記録が要求された予約データを、前記メモリから読み出し前記記録媒体に転送して記録させる予約データ記録制御工程とを有し、
前記予約データ記録制御工程によって前記メモリから読み出され前記記録媒体に転送された予約データを、前記メモリに保存させたままにしておくようにしたことを特徴とする記録再生方法。
【発明の詳細な説明】
技術分野
この発明は、例えば光ディスクのように装置に対して着脱可能な記録媒体と、例えばハードディスクのように装置に内蔵された記録媒体とを、同時に取り扱うことが可能な記録再生装置及び方法に係り、特に記録予約機能を備えたものの改良に関する。
背景技術
周知のように、近時では、例えばＤＶＤ（Ｄｉｇｉｔａｌ　Ｖｅｒｓａｔｉｌｅ　Ｄｉｓｃ）−ＲＡＭ（Ｒａｎｄｏｍ　Ａｃｃｅｓｓ　Ｍｅｍｏｒｙ）やＤＶＤ−ＲＷ（Ｒｅ　Ｗｒｉｔａｂｌｅ）等の光ディスクのように、装置に対して着脱自在な記録媒体と、ハードディスクのように装置に内蔵され、記録再生速度が高速で大容量の記録媒体とを、同時に取り扱うことを可能とした記録再生装置が開発されている。
この種の記録再生装置は、光ディスクの持つ利点とハードディスクの持つ利点とを有機的に融合させることにより、従来の記録再生装置では到底実現することができなかった種々の新しい機能をユーザに提供することができる可能性を内在している。このため、この種の記録再生装置に対して、現在では、より一層便利でしかも不都合の生じないように、細部に渡って改良を施すことが強く要求されている。
例えば、記録媒体に情報を記録する際の機能として、従来より記録予約と称される機能がある。この記録予約機能は、既に幅広く普及しているように、記録したい番組が放送予定されている日時、放送チャンネル、記録モード等を示す予約データを、放送に先立って予め入力設定しておくことによって、その番組を自動的に記録することができるようにしたものである。
また、最近では、書き替え可能な光ディスクを記録媒体とする記録再生装置において、予約ディスク機能が設けられるようになってきている。この予約ディスク機能は、予約データを光ディスクに転送して記録することにより予約ディスクを作成すると、その予約ディスクには、そこに記録されている予約データに基づく記録予約しか行なえないようになるものである。
このような予約ディスク機能によれば、作成された予約ディスクには、その光ディスクに記録されている予約データに基づいた番組以外は記録されなくなる。このため、例えば連続ドラマ番組等を１枚の光ディスクに記録する場合に光ディスクの管理が容易になり、自分だけのオリジナルディスクの作成を容易に行なうことが可能となる。
しかしながら、上記のような予約ディスク機能を備えた従来の記録再生装置では、ユーザが入力設定した予約データを光ディスクに転送して記録した後は、その予約データを保存していないので、予約ディスクに記録した予約データの内容を確認するためには、予約ディスクを記録再生装置に装着してその予約データを読み取る必要がある。
一方、光ディスクに転送して予約ディスクを作成する目的以外で入力設定された予約データ、つまり、番組の記録を行なう光ディスクを特定しない、いわゆる通常の記録予約を行なう目的で入力設定された予約データは、記録再生装置の内蔵メモリに記録されている。このため、内蔵メモリから予約データを読み出すことによって、その内容を確認することができる。
すなわち、従来の記録再生装置では、通常の記録予約における予約データと、予約ディスクを作成する記録予約における予約データとが、それぞれ異なる記録媒体に記録されているので、ユーザは、両方の予約データを別々に管理しなければならないことになり、取り扱いが煩雑になって実用に不向きであるという問題が生じている。
そこで、この発明は上記事情を考慮してなされたもので、通常の記録予約における予約データと、予約ディスクのように記録媒体を特定した記録予約における予約データとを一元的に管理することを可能とし、ユーザにとっての取り扱いを便利にした記録予約機能を備えた記録再生装置及び方法を提供することを目的とする。
発明の開示
この発明に係る記録予約機能を備えた記録再生装置は、入力された予約データに基づいて放送番組を記録媒体に記録する記録予約機能を備え、入力された予約データを記録媒体に記録することにより、その記録媒体をそこに記録された予約データに基づく記録予約専用とするようにしたものを対象としている。
そして、入力された予約データを装置に内蔵されたメモリに記録する予約データ記録部と、この予約データ記録部によってメモリに記録された予約データのうち、記録媒体への記録が要求された予約データを、メモリから読み出し記録媒体に転送して記録させる予約データ記録制御部とを備え、予約データ記録制御部によってメモリから読み出され記録媒体に転送された予約データを、メモリに保存させたままにしておくようにしたものである。
また、この発明に係る記録再生方法は、入力された予約データに基づいて放送番組を記録媒体に記録する記録予約機能を備え、入力された予約データを記録媒体に記録することにより、その記録媒体をそこに記録された予約データに基づく記録予約専用とする方法を対象としている。
そして、入力された予約データを装置に内蔵されたメモリに記録する予約データ記録工程と、この予約データ記録工程によってメモリに記録された予約データのうち、記録媒体への記録が要求された予約データを、メモリから読み出し記録媒体に転送して記録させる予約データ記録制御工程とを有し、予約データ記録制御工程によってメモリから読み出され記録媒体に転送された予約データを、メモリに保存させたままにしておくようにしたものである。
上記のような構成及び方法によれば、入力された予約データを装置に内蔵されたメモリに記録し、このメモリに記録された予約データをメモリから読み出し記録媒体に転送して記録させる際、メモリから読み出され記録媒体に転送された予約データを、メモリに保存させたままにしておくようにしている。
このため、予約データの記録された記録媒体を装着しなくても、通常の記録予約における予約データと同様に、記録媒体に記録された予約データも確認することができるため、予約データを一元的に管理することが可能となり、ユーザにとっての取り扱いを便利にすることができる。
発明を実施するための最良の形態
以下、この発明の一実施例について図面を参照して詳細に説明する。第１図は、この実施例で説明する記録再生装置の概略的な構成を示している。
すなわち、この記録再生装置は、ＤＶＤ−ＲＡＭやＤＶＤ―ＲＷ等のような光ディスク１１を回転駆動し、この光ディスク１１に対して情報の書き込み及び読み取りを実行することのできるディスクドライブ１２と、ハードディスクを回転駆動し、このハードディスクに対して情報の書き込み及び読み取りを実行することのできるＨＤＤ（Ｈａｒｄ　Ｄｉｓｃ　Ｄｒｉｖｅ）部１３と、記録側を構成するエンコーダ部１４と、再生側を構成するデコーダ部１５と、記録再生装置全体の動作を統括的に制御するマイクロコンピュータブロック１６とを、主たる構成要素としている。
そして、エンコーダ部１４は、ＡＤＣ（Ａｎａｌｏｇ　ｔｏ　Ｄｉｇｉｔａｌ　Ｃｏｎｖｅｒｔｅｒ）１４ａと、Ｖ（Ｖｉｄｅｏ）エンコーダ，Ａ（Ａｕｄｉｏ）エンコーダ及びＳＰ（Ｓｕｂ−Ｐｉｃｔｕｒｅ）エンコーダを含むエンコーダ群１４ｂと、このエンコーダ群１４ｂの各エンコーダの出力を所定のフォーマットに変換するフォーマッタ１４ｃと、このフォーマッタ１４ｃの作業用に使用されるバッファメモリ１４ｄとを備えている。
このうち、ＡＤＣ１４ａには、Ａ／Ｖ（Ａｕｄｉｏ／Ｖｉｄｅｏ）入力部１７からの外部アナログ画像信号＋外部アナログ音声信号、あるいは、ＴＶ（Ｔｅｌｅｖｉｓｉｏｎ）チューナ１８からのアナログ画像信号＋アナログ音声信号が入力されている。
ＡＤＣ１４ａは、入力されたアナログ画像信号を、例えばサンプリング周波数１３．５ＭＨｚ、量子化ビット数８ビットでデジタル化する。
すなわち、輝度成分Ｙ、色差成分Ｃｒ（またはＹ−Ｒ）及び色差成分Ｃｂ（またはＹ−Ｂ）が、それぞれ８ビットで量子化されることになる。
同様に、ＡＤＣ１４ａは、入力されたアナログ音声信号を、例えばサンプリング周波数４８ｋＨｚ、量子化ビット数１６ビットでデジタル化する。
また、ＡＤＣ１４ａにデジタル画像信号やデジタル音声信号が入力されているときは、ＡＤＣ１４ａは、そのデジタル画像信号やデジタル音声信号をスルーパスさせる。
なお、これらのデジタル画像信号やデジタル音声信号に対して、内容を改変することなく、ジッタ低減処理やサンプリングレートの変更処理等を行なうことは許可されている。
ＡＤＣ１４ａから出力されたデジタル画像信号は、エンコーダ群１４ｂのＶエンコーダを介してフォーマッタ１４ｃに送られる。
また、ＡＤＣ１４ｃから出力されたデジタル音声信号は、エンコーダ群１４ｂのＡエンコーダを介してフォーマッタ１４ｃに送られる。
Ｖエンコーダは、入力されたデジタル画像信号を、ＭＰＥＧ（Ｍｏｖｉｎｇ　Ｐｉｃｔｕｒｅ　Ｉｍａｇｅ　Ｃｏｄｉｎｇ　Ｅｘｐｅｒｔｓ　Ｇｒｏｕｐ）２またはＭＰＥＧ１規格に基づいて、可変ビットレートで圧縮されたデジタル画像信号に変換する機能を持っている。
また、Ａエンコーダは、入力されたデジタル音声信号を、ＭＰＥＧまたはＡＣ（Ａｕｄｉｏ　Ｃｏｍｐｒｅｓｓｉｏｎ）−３規格に基づいて、固定ビットレートで圧縮されたデジタル音声信号またはリニアＰＣＭ（Ｐｕｌｓｅ　Ｃｏｄｅ　Ｍｏｄｕｌａｔｉｏｎ）のデジタル音声信号に変換する機能を持っている。
なお、Ａ／Ｖ入力部１７から副映像（ＳＰ）信号が入力された場合（例えば副映像信号の独立出力端子付きＤＶＤビデオプレーヤからの信号）、あるいは、このようなデータ構成のＤＶＤビデオ信号が放送され、それがＴＶチューナ１８で受信された場合には、ＤＶＤビデオ信号中の副映像信号が、エンコーダ群１４ｂのＳＰエンコーダに入力される。このＳＰエンコーダに入力された副映像信号は、所定の信号形態にアレンジされて、フォーマッタ１４ｃに送られる。
フォーマッタ１４ｃは、バッファメモリ１４ｄをワークエリアとして使用しながら、入力されたデジタル画像信号、デジタル音声信号及び副映像信号等に対して、それぞれ、記録に適したフォーマットとなるように所定の信号処理を施し、データプロセッサ１９に出力している。
そして、このようにエンコーダ部１４でエンコードされた情報や、作成された管理情報は、データプロセッサ１９及びディスクドライブ１２を介して、光ディスク１１に記録することができる。
ここで、この記録再生装置は、上記のようにしてエンコーダ部１４でエンコードされた情報や、作成された管理情報等を、データプロセッサ１９を介してＨＤＤ部１３に供給し、そのハードディスクに記録することもできる。
また、ハードディスクに記録された情報をＨＤＤ部１３で読み出し、データプロセッサ１９及びディスクドライブ１２を介して、光ディスク１１に記録することもできる。
この場合、ハードディスクに記録されている情報のフォーマットが、光ディスク１１のデータフォーマットと同じである場合には、ハードディスクから読み取った情報をそのまま光ディスク１１に記録する。
また、ハードディスクに記録されている情報のフォーマットが、光ディスク１１のデータフォーマットと異なる場合には、ハードディスクから読み取った情報をエンコーダ部１４に供給して、光ディスク１１のデータフォーマットに適応するようにエンコード処理してから、光ディスク１１に記録する。
次に、この記録再生装置は、光ディスク１１に対して、情報の書き込み及び読み取り（記録及び再生）を実行する部分として、光学系や駆動系を有するディスクドライブ１２と、データプロセッサ１９と、一時記憶部２０と、ＳＴＣ（Ｓｙｓｙｅｍ　Ｔｉｍｅ　ＣｏｕｎｔｅｒまたはＳｙｅｔｅｍ　Ｔｉｍｅ　Ｃｌｏｃｋ）２１とを備えている。
このうち、一時記憶部２０は、エンコーダ部１４から出力され、データプロセッサ１９及びディスクドライブ１２を介して光ディスク１１に書き込まれるデータのうちの一定量をバッファリングしたり、ディスクドライブ１２によって光ディスク１１から読み取られ、データプロセッサ１９を介してデコーダ部１５に入力されるデータのうちの一定量をバッファリングするために利用される。
また、データプロセッサ１９は、マイクロコンピュータブロック１６の制御に基づいて、エンコーダ部１４から出力された記録用のデータをディスクドライブ１２に供給したり、ディスクドライブ１２が光ディスク１１から読み取ったデータを取り込んだり、光ディスク１１に記録された管理情報を書き替えたり、光ディスク１１に記録されたデータの削除を行なったりしている。
ここで、マイクロコンピュータブロック１６は、ＭＰＵ（Ｍｉｃｒｏ　Ｐｒｏｃｅｓｓｉｎｇ　Ｕｎｉｔ）［またはＣＰＵ（Ｃｅｎｔｒａｌ　Ｐｒｏｃｅｓｓｉｎｇ　Ｕｎｉｔ）］と、制御プログラムが書き込まれた書き替え可能なＲＯＭと、プログラム実行に必要なワークエリアを提供するためのＲＡＭ（Ｒａｎｄｏｍ　Ａｃｃｅｓｓ　Ｍｅｍｏｒｙ）と、予約データの記憶される内蔵メモリ１６ａとを含んでいる。
そして、マイクロコンピュータブロック１６のＭＰＵは、キー入力部２２からの操作情報を受け、そのＲＯＭに格納された制御プログラムに基づいて、ＲＡＭをワークエリアとして用いることにより、装置全体の動作を統括的に制御している。
なお、このマイクロコンピュータブロック１６が実行する動作のうち、この発明の特徴部分に関係する制御動作としては、記録予約設定（予約録画設定）動作や予約ディスク作成動作等がある。
また、このマイクロコンピュータブロック１６の実行結果のうち、ユーザに通知すべき内容は、表示部２３に表示されるか、または、図示しないモニタディスプレイにＯＳＤ（Ｏｎ　Ｓｃｒｅｅｎ　Ｄｉｓｐｌａｙ）表示される。
なお、マイクロコンピュータブロック１６が、ディスクドライブ１２、データプロセッサ１９、エンコーダ部１４及びデコーダ部１５等を制御するタイミングは、前記ＳＴＣ２１からの時間データに基づいて決定される。
ここで、デコーダ部１５は、ディスクドライブ１２によって光ディスク１１から読み取られ、データプロセッサ１９を介して入力されたデータから、主映像データ、副映像データ及び音声データを分離する分離部１５ａと、この分離部１５ａにおける分離処理やその他の信号処理実行時に使用されるメモリ１５ｂと、分離部１５ａで分離された主映像データをデコードするＶデコーダ，分離部１５ａで分離された副映像データをデコードするＳＰデコーダ及び分離部１５ａで分離された音声データをデコードするＡデコーダよりなるデコーダ群１５ｃと、Ｖデコーダから得られる主映像データにＳＰデコーダから得られる副映像データを適宜合成し、主映像に副映像を重ねて表示させるためのビデオプロセッサ１５ｄとを備えている。
ビデオプロセッサ１５ｄの出力は、ビデオミクサ２４に入力される。このビデオミクサ２４では、テキストデータの合成が行なわれる。また、ビデオミクサ２４には、上記Ａ／Ｖ入力部１７やＴＶチューナ１８からの信号を直接取り込むラインも接続されている。ビデオミクサ２４には、バッファとして用いるフレームメモリ２５が接続されている。
そして、　ビデオミクサ２４の出力がデジタル出力の場合には、Ｉ／Ｆ（Ｉｎｔｅｒ／Ｆａｃｅ）２６を介して外部に出力され、アナログ出力の場合には、ＤＡＣ（Ｄｉｇｉｔａｌ　ｔｏ　Ａｎａｌｏｇ　Ｃｏｎｖｅｒｔｅｒ）２７を介して外部に出力される。
また、上記Ａデコーダの出力がデジタル出力の場合には、Ｉ／Ｆ２８を介して外部に出力され、アナログ出力の場合には、セレクタ２９を介してＤＡＣ３０によりアナログ変換されて、外部に出力される。
このセレクタ２９は、マイクロコンピュータブロック１６からのセレクト信号により、Ａ／Ｖ入力部１７やＴＶチューナ１８からの出力信号を直接モニタするとき、ＡＤＣ１４ａからの出力を選択することが可能である。
第２図は、この実施例における予約ディスクの作成動作を説明するために示すフローチャートである。すなわち、開始（ステップＳ１１）され、ステップＳ１２で、ユーザがキー入力部２２を操作して予約データを入力する。すると、マイクロコンピュータブロック１６は、ステップＳ１３で、その記録予約設定機能を実行するために設置された内蔵メモリ１６ａに、入力された予約データを記録する。
そして、マイクロコンピュータブロック１６は、ステップＳ１４で、入力された予約データが予約ディスクへの予約のためのものか否かを判別し、予約ディスクへの予約のためのものでないと判断された場合（ＮＯ）、通常の記録予約と判断して、そのまま終了（ステップＳ２０）される。
また、上記ステップＳ１４で、予約データが予約ディスクへの予約のためのものであると判断された場合（ＹＥＳ）、マイクロコンピュータブロック１６は、ステップＳ１５で、ディスクが挿入されているか否かを判別し、挿入されていないと判断された場合（ＮＯ）ステップＳ１６で、ディスクの挿入を促すメッセージを表示部２３またはモニタディスプレイに表示させ、ステップＳ１５の処理に戻される。
一方、上記ステップＳ１５で、ディスクが挿入されていると判断された場合（ＹＥＳ）、マイクロコンピュータブロック１６は、ステップＳ１７で、内蔵メモリ１６ａに記録されている予約データを、予約ディスクに転送して記録させる。
その後、マイクロコンピュータブロック１６は、ステップＳ１８で、内蔵メモリ１６ａに記録されている予約データに対して、その予約種別を示す識別子としてのフラグを「予約ディスク」とする。
そして、マイクロコンピュータブロック１６は、ステップＳ１９で、内蔵メモリ１６ａに記録されている予約データの一覧表示が要求された場合、フラグが「予約ディスク」となっている予約データについては、アイコン等を表示させることによって識別表示し、終了（ステップＳ２０）される。
第３図は、上記内蔵メモリ１６ａ内における予約データの記録状態を示している。すなわち、内蔵メモリ１６ａには、複数（図示の場合は４つ）の予約データＡ〜Ｄを記録する「予約内容」の領域と、各予約データＡ〜Ｄに対応させて通常の記録予約か予約ディスクへの記録予約かを示すフラグを記録する「予約種別」の領域とが設定されている。
この場合、ユーザは、予約データを入力設定する際に、予約種別のフラグも入力設定する。そして、予約種別を示すフラグが「予約ディスク」となされた予約データＢが、予約ディスクに転送され記録される。このとき、転送された予約データＢは、内蔵メモリ１６ａから消去されることなく、内蔵メモリ１６ａ内に保存される。
第４図は、内蔵メモリ１６ａに記録されている予約データが一覧表示された例を示している。この場合、複数の予約データのうち、第４図で左端部に二重丸のアイコンが表示されている予約データが、予約ディスクに記録されたものであることを表わしている。このアイコン表示は、マイクロコンピュータブロック１６が、内蔵メモリ１６ａの予約種別のフラグを見ることで行なわれる。
予約データの内容としては、放送チャンネル、録画日、録画開始／終了時間、録画画質、録画レート、音質、録画メディア等がある。
図５は、内蔵メモリ１６ａに記録された予約データを、第４図に示すように一覧表示する動作を説明するために示すフローチャートである。まず、開始（ステップＳ２１）されると、マイクロコンピュータブロック１６は、ステップＳ２２で、内蔵メモリ１６ａ内から１つの予約データを読み取り、ステップＳ２３で、その予約データに対応する予約種別フラグが「予約ディスク」になっているか否かを判別する。
そして、予約種別フラグが「予約ディスク」になっていないと判断された場合（ＮＯ）、マイクロコンピュータブロック１６は、ステップＳ２４で、その予約データを編集可能な状態とする。
また、上記ステップＳ２３で、予約種別フラグが「予約ディスク」になっていると判断された場合（ＹＥＳ）、マイクロコンピュータブロック１６は、ステップＳ２５で、予約ディスクへの予約データであることを示すアイコンを表示可能な状態とした後、ステップＳ２６で、予約ディスクが挿入されているか否かを判別する。
そして、予約ディスクが挿入されていると判断された場合（ＹＥＳ）、マイクロコンピュータブロック１６は、ステップＳ２４の処理に移行し、その予約データを編集可能な状態とする。ここで、予約データが編集された場合には、その新規な予約データが内蔵メモリ１６ａに記録されるとともに、予約ディスクに転送されて記録される。
また、上記ステップＳ２６で、予約ディスクが挿入されていないと判断された場合（ＮＯ）、マイクロコンピュータブロック１６は、ステップＳ２７で、その予約データを編集不可能な状態とする。
そして、ステップＳ２４の後、または、ステップＳ２７の後、マイクロコンピュータブロック１６は、ステップＳ２８で、ステップＳ２２により内蔵メモリ１６ａ内から読み取った１つの予約データを表示させる。
その後、マイクロコンピュータブロック１６は、ステップＳ２９で、予約データが最後であるか否かを判別し、最後でないと判断された場合（ＮＯ）、ステップＳ２２の処理に戻され、最後であると判断された場合（ＹＥＳ）、終了（ステップＳ３０）される。
第６図は、記録予約動作を説明するために示すフローチャートである。まず、開始（ステップＳ３１）されると、マイクロコンピュータブロック１６は、ステップＳ３２で、内蔵メモリ１６ａから読み取った予約データが予約ディスクへの記録予約を行なうものであるか否かを判別する。
そして、予約ディスクへの記録予約を行なうものでないと判断された場合（ＮＯ）、マイクロコンピュータブロック１６は、ステップＳ３３で、通常の記録予約であると判断し、指定先の記録メディアに対する通常の記録予約を実行して、終了（ステップＳ４３）される。
また、ステップＳ３２で、内蔵メモリ１６ａから読み取った予約データが予約ディスクへの記録予約を行なうものであると判断された場合（ＹＥＳ）、マイクロコンピュータブロック１６は、ステップＳ３４で、予約ディスクが挿入されているか否かを判別し、挿入されていないと判断された場合（ＮＯ）、ステップＳ３５で、予約ディスクの挿入を促すメッセージを表示部２３またはモニタディスプレイに表示させる。
ステップＳ３５の後、または、ステップＳ３４で予約ディスクが挿入されていると判断された場合（ＹＥＳ）、マイクロコンピュータブロック１６は、ステップＳ３６で、予約ディスクに記録されている予約データを読み取り、ステップＳ３７で、内蔵メモリ１６ａに記録されている予約データと比較する。
そして、マイクロコンピュータブロック１６は、ステップＳ３８で、予約ディスクの予約データと内蔵メモリ１６ａの予約データとが合致しているか否かを判別し、合致していると判断された場合（ＹＥＳ）、ステップＳ３９で、予約ディスクに対する記録予約を実行して、終了（ステップＳ４３）される。
また、ステップＳ３８で、予約ディスクの予約データと内蔵メモリ１６ａの予約データとが合致していないと判断された場合（ＮＯ）、マイクロコンピュータブロック１６は、ステップＳ４０で、ハードディスクが書き込み可能か否かを判別し、書き込み可能でないと判断された場合（ＮＯ）、ステップＳ４１で、その予約を破棄して、終了（ステップＳ４３）される。
さらに、ステップＳ４０で、ハードディスクが書き込み可能であると判断された場合（ＹＥＳ）、マイクロコンピュータブロック１６は、ステップＳ４２で、内蔵メモリ１６ａに記録されている予約データに基づいて、ハードディスクに対して記録予約を実行して、終了（ステップＳ４３）される。
上記した実施例によれば、予約ディスクに記録した予約データを、記録再生装置の内蔵メモリ１６ａに保存しておき、内蔵メモリ１６ａの内容を一覧表示させるようにしたので、予約ディスクを装着しなくても、通常の記録予約における予約データと同様に予約ディスクの予約データも確認することができる。このため、予約データを一元的に管理することが可能となり、ユーザにとっての取り扱いを便利にすることができる。
また、内蔵メモリ１６ａに記録されている各予約データに対して、それぞれ、通常の記録予約か予約ディスクによる記録予約かを示す予約種別フラグを設定し、予約データを一覧表示した際に、このフラグに基づいて予約ディスクの予約データにアイコン表示を付し、通常の記録予約の予約データと区別して表示するようにしたので、ユーザによる一元管理をより効率的なものとすることができる。
さらに、各予約データを一覧表示させる際に、予約ディスクの予約データであって、対応する予約ディスクが挿入されていない場合には、その予約データを編集不可能な状態にして表示するようにしたので、誤って予約データを変更してしまい、内蔵メモリ１６ａの予約データが予約ディスクの予約データと合致しなくなる不都合を解消することができる。
また、記録予約動作の実行に際して、内蔵メモリ１６ａの予約データと予約ディスクの予約データとが合致しない場合には、内蔵メモリ１６ａの予約データに基づいてハードディスクに記録を行なうようにしたので、誤って異なる予約ディスクを装着した場合でも、記録したい番組を逃すことがなくなる。
この場合、ハードディスクに記録した番組は、後から、ユーザが、対応する予約ディスクを装着して、例えば記録再生装置のダブルレコーディング（ダビング）機能を利用することにより、手動操作によって予約ディスクに転送することができる。
なお、ユーザが入力した予約データは、内蔵メモリ１６ａに代えてマイクロコンピュータブロック１６のＲＡＭに記憶させることも可能である。この場合、ＲＡＭに記憶させた予約データは、所定のタイミングでマイクロコンピュータブロック１６のＲＯＭに移し替えて、安定な保存を図ることが必要となる。
産業上の利用可能性
以上詳述したようにこの発明によれば、通常の記録予約における予約データと、予約ディスクのように記録媒体を特定した記録予約における予約データとを一元的に管理することを可能とし、ユーザにとっての取り扱いを便利にすることができる。このため、例えば、書き替え可能な光ディスクとハードディスクとを同時に取り扱うことが可能な記録再生装置に利用して効果的となる。
【図面の簡単な説明】
第１図は、この発明に係る記録予約機能を備えた記録再生装置の一実施例を説明するために示すブロック構成図、第２図は、同実施例における予約ディスクの作成動作を説明するために示すフローチャート、第３図は、同実施例における内蔵メモリの記録内容を説明するために示す図、第４図は、同実施例における予約データの一覧表示例を説明するために示す図、第５図は、同実施例における予約データを一覧表示させる動作を説明するために示すフローチャート、第６図は、同実施例における記録予約動作を説明するために示すフローチャートである。
【図１】
2002030114.tif 000003
【図２】
2002030114.tif 000004
【図３】
2002030114.tif 000005
【図４】
2002030114.tif 000006
【図５】
2002030114.tif 000007
【図６】
2002030114.tif 000008
【国際調査報告】
2002030114.tif 000009
2002030114.tif 000010
2002030114.tif 000011